(57)【要約】      （修正有）【課題】カット後のフィルムの巻戻りを確実に行えるうようにしたラップフィルム用カートンを提供すること。【解決手段】上方が開口した長尺箱状のカートン本体と、このカートン本体における上方開口部の後端縁に起伏自在に連設され、カートン本体の前側板１１と重なる掩蓋片１６を有する蓋体と、掩蓋片１６の先端裏側に沿って取り付けられた切断刃Ｃとを備えてなるラップフィルム用カートンにおいて、前側板１１の表側と掩蓋片１６の裏側における対向する所定の位置に、一方がマグネットシートからなる吸着シート片Ｍで他方がその吸着シート片Ｍにくっつくことができる被吸着シート片Ｓとなる組合せでそれぞれシート片を貼着する。ラップフィルムを繰り出して蓋体を閉じると、吸着シート片Ｍと被吸着シート片Ｓの間にラップフィルムＦを挟んだ状態となり、カット後におけるラップフィルムＦの巻戻りを確実に防止することができる。【選択図】図４
2016034831.tif 000002
【特許請求の範囲】
【請求項１】
上方が開口した長尺箱状のカートン本体と、このカートン本体における上方開口部の後端縁に起伏自在に連設され、カートン本体の前側板と重なる掩蓋片を有する蓋体と、掩蓋片の先端裏側に沿って取り付けられた切断刃とを備えてなるラップフィルム用カートンにおいて、前側板の表側と掩蓋片の裏側における対向する所定の位置に、一方がマグネットシートからなる吸着シート片で他方がその吸着シート片にくっつくことができる被吸着シート片となる組合せでそれぞれシート片を貼着したことを特徴とするラップフィルム用カートン。
【請求項２】
前側板の表側に貼着するシート片の表面にストッパーニスを塗布したことを特徴とするせに記載のラップフィルム用カートン。
【発明の詳細な説明】
【技術分野】
【０００１】
本発明は、一般家庭などで食品の包装に使用されているラップフィルムを収納するカートンの技術分野に属し、詳しくは、手で繰り出したラップフィルムの巻戻り防止機能を備えたラップフィルム用カートンに関するものである。
【背景技術】
【０００２】
従来、この種のラップフィルム用カートンの代表的なものとして、カートン本体の前側板において掩蓋片で覆われる部位に平滑面を設けておき、ラップフィルムの自己粘着性により当該平滑面に仮接着させることで、繰り出してカットした後のラップフィルムの巻戻りを防止するようにしたものが多く使用されている。このような平滑面を設けたものとしては、ポリスチレン、塩化ビニル等の溶液やエマルジョンを繰り返し塗布することにより紙等の容器素材の凹凸を完全に平滑にしたものを始めとして、プラスチックフィルムなどの平滑なシートを貼着したもの（特許文献１参照）や、架橋性硬化ニスで平滑な塗布層を設けるようにしたもの（特許文献２参照）などが知られている。
【先行技術文献】
【特許文献】
【０００３】
【特許文献１】特開昭６３−５５０４３号公報
【特許文献２】特開昭６４−９１５１号公報
【発明の概要】
【発明が解決しようとする課題】
【０００４】
上記したような平滑面でラップフィルムの巻戻りを防止する従来のカートンは、平滑面が綺麗なうちはラップフィルムの自己粘着性が発揮されてカット後のラップフィルムの巻戻りが防止される。しかしながら、使用時に手の汚れなどが付着すると、徐々に平滑面の粘着性が劣化してラップフィルムが剥がれてしまい、巻戻りを防止することができないという事態が生じていた。また、カートンに加わる振動によってラップフィルムが平滑面から剥がれるようなことも起きていた。
【０００５】
本発明は、このような事情に鑑みてなされたものであり、その目的とするところは、カット後のフィルムの巻戻りを確実に行えるうようにしたラップフィルム用カートンを提供することにある。
【課題を解決するための手段】
【０００６】
上記の目的を達成するため、本発明は、上方が開口した長尺箱状のカートン本体と、このカートン本体における上方開口部の後端縁に起伏自在に連設され、カートン本体の前側板と重なる掩蓋片を有する蓋体と、掩蓋片の先端裏側に沿って取り付けられた切断刃とを備えてなるラップフィルム用カートンにおいて、前側板の表側と掩蓋片の裏側における対向する所定の位置に、一方がマグネットシートからなる吸着シート片で他方がその吸着シート片にくっつくことができる被吸着シート片となる組合せでそれぞれシート片を貼着したことを特徴とする。
【０００７】
そして、上記構成のラップフィルム用カートンにおいて、前側板の表側に貼着するシート片の表面にストッパーニスを塗布することが好ましい。
【発明の効果】
【０００８】
本発明のラップフィルム用カートンは、前側板の表側と掩蓋片の裏側における対向する所定の位置に、一方がマグネットシートからなる吸着シート片で他方がその吸着シート片にくっつくことができる被吸着シート片となる組合せでそれぞれシート片を貼着しているので、ラップフィルムを繰り出して蓋体を閉じると、吸着シート片と被吸着シート片の間にラップフィルムを挟んだ状態となり、カット後におけるラップフィルムの巻戻りを確実に防止することができる。
【０００９】
そして、前側板の表側に貼着するシート片の表面にストッパーニスを塗布すると、より確実にフィルムを固定することができる。
【図面の簡単な説明】
【００１０】
【図１】本発明に係るラップフィルム用カートンの一例を示す斜視図である。
【図２】図１のラップフィルム用カートンを組み立てるブランクの展開図である。
【図３】図１のラップフィルム用カートンの開封方法を示す斜視図である。
【図４】図１のラップフィルム用カートンを開封した状態で示す斜視図である。
【図５】開封状態のラップフィルム用カートンにおける長手方向の中央断面を示す説明図である。
【発明を実施するための形態】
【００１１】
次に、本発明の実施形態について図面を参照しながら詳細に説明する。
【００１２】
図１は本発明によるラップフィルム用カートンの一例を示す斜視図であり、このラップフィルム用カートンは図２にその展開図を示すブランクを組み立てて形成される。
【００１３】
図２のブランクは、板紙を打ち抜いて作成されたものであり、図示のように、折曲げ線を介して前側板１１、底板１２、後側板１３及び蓋板１４が連設しており、前側板１１の長手端縁には折曲げ線を介して折返し片１５が連設され、また、蓋板１４の長手端縁には折曲げ線を介して掩蓋片１６が連設されており、掩蓋片１６には切取り線αを介して開封片１７が連設されている。開封片１７は切取り線αを境として掩蓋片１６から切り離すため、切取り線αはミシン目やリード罫などの切り取りやすい形で形成する。また、開封片１７には長手方向に沿って等間隔に同じ向きの半円状の切込みβが計６個形成されている。そして、掩蓋片１６の裏面には刃先が開封片１７側に突き出る状態で切取り線αに沿って切断刃Ｃが取り付けられる。この切断刃Ｃとしては、環境問題を考慮して、硬質の板紙を打ち抜いて両縁に鋸刃を形成したものを使用する。
【００１４】
前側板１１、底板１２、後側板１３、蓋板１４及び掩蓋片１６の両端（図の左右）には、折曲げ線を介してそれぞれ接着片１８、側板１９、折曲げ片２０、蓋体側板２１及び接着片２２が連設されている。ここで、側板１９の長さは前側板１１及び後側板１３の幅と略同じとされ、折曲げ片２０の長さは側板１９より短く、接着片１８の長さはそれよりも短くされている。また、蓋体側板２１の長さは側板１９の長さの半分程度とされ、接着片２２の長さは蓋板１４の幅よりも短くされている。
【００１５】
このブランクを組み立てて中にラップフィルムのロールを収納するが、組み立てる前のブランクに対して、図２に示すように、前側板１１の表側と掩蓋片１６の裏側における対向する所定の位置に、一方がマグネットシートからなる吸着シート片Ｍで他方がその吸着シート片Ｍにくっつくことができる被吸着シート片Ｓとなる組合せでそれぞれシート片を両面テープにより貼着する。ここでは図示の如く、前側板１１の表側に吸着シート片Ｍを貼着し、掩蓋片１６の裏側に被吸着シート片Ｓを貼着している。
【００１６】
マグネットシートは、フェライト（酸化鉄）に樹脂（バインダー）を混入したものをシート状とし、そのシートを磁化して得られるもので、等方性マグネットシートとそれよりも磁力の強い異方性マグネットシートとに区別されるが、本発明で用いる吸着シート片Ｍは、それほど大きな吸着力は必要ないので、等方性マグネットシートであって片面多極着磁（１００〜５００ガウス）した通常のマグネットシートを用いるとよい。また、被吸着シート片Ｓとしては、吸着シート片Ｍにくっつくものであれば素材は何でも使用可能であるが、ここでは磁化していないフェライトシートを用いている。
【００１７】
図２のブランクの組立手順は次のようである。まず、折返し片１５を折り曲げてその裏側を前側板１１の裏面に貼着する。次いで、開封片１７の半円状の切込みβに重なるように帯状に塗布された接着剤によって前側板１１の表面と開封片１７の裏面とを貼り合わせてサック貼りする。このとき、前側板１１の接着部分、すなわち開封片１７の半円状の切込みβと対応する円形の接着部分は、印刷時にオーバープリントニス（ストッパーニス）が抜かれており、この円形の接着部分のみが開封片１７の半円状の切込みβの内側と貼り合わせられる。
【００１８】
そして、このサック貼りされたブランクを角筒状に起こし、一方の端部を閉じた状態としてから、もう一方の開いている端部からロール状のラップフィルムを投入した後、その開いている端部を閉じることにより、図１に示す製品としてのラップフィルム用カートンが作成される。ここで、いずれの端部も次の手順で閉じられる。すなわち、折曲げ片２０、接着片１８及び側板１９を順次折り曲げ、折曲げ片２０の表面と側板１９の裏面との間に接着片１８を挟み込んで各接触面をそれぞれ貼り合わせることによりカートン本体側を塞ぎ、続いて、接着片２２と蓋体側板２１を順次折り曲げ、接着片２２の表面と蓋体側板２１の裏面とを貼り合わせることにより蓋体側を塞ぐ。
【００１９】
図１のラップフィルム用カートンを使用するに際しては、開封片１７の端部を摘んで図３の矢印方向に引っ張って剥がすようにする。すると、接着部である半円状の切込みβの内側で紙が層間剥離を起こし、開封片１７が切取り線αのところから切り離され、切断刃Ｃが露出した状態になる。このように開封した後、蓋体を後側に持ち上げるようにして開けると、図４に示すように、カートン内部に収納されたロール状のラップフィルムＦが露出するので、必要な長さだけ繰り出して切断刃Ｃにより切断することが可能となる。
【００２０】
ラップフィルムＦを取り出すときは、カートンの中央部付近を手で把持し、その手で蓋体を斜めに持ち上げた状態とし、もう一方の手でラップフィルムＦの端部を摘んで必要量だけ引き出し（図４及び図５参照）、そのまま掩蓋片１６を前側板１１に被せ、前側板１１と掩蓋片１６の間にラップフィルムＦを挟んだ状態で切断刃Ｃにより切断する。この切断操作を行うとき、残るラップフィルムＦは、その端部が吸着シート片Ｍと被吸着シート片Ｓの間に挟まれた状態となるので、切断後においてもカートン本体内へ巻き戻ることはない。
【００２１】
また、吸着シート片Ｍと被吸着シート片Ｓの磁力により掩蓋片１６が前側板１１にピッタリとつくので、蓋体が中途半端に開いた状態でのラップフィルムＦの切断が減ることから、切断ミスの削減も期待できる。また、吸着シート片Ｍと被吸着シート片Ｓを貼ることにより、指押え部の強度が向上するという利点もあり、これは長巻きのロールを収納するカートンの場合に有効である。
【００２２】
以上、本発明の実施形態について詳細に説明してきたが、本発明によるラップフィルム用カートンは、上記した実施形態に何ら限定されるものではなく、本発明の趣旨を逸脱しない範囲において種々の変更が可能である。
【００２３】
例えば、従来のラップフィルム用カートンでは、フィルムの巻戻り防止のため、前側板の表面にストッパーニスを塗っているものが多く見られるが、本発明においても前側板１１に同様なストッパーニスを塗ってもよいし、前側板１１に取り付ける吸着シート片Ｍあるいは被吸着シート片Ｓの表面にもストッパーニスを塗っておくことより確実にフィルムを固定するようにしてもよい。
【００２４】
また、サイズが長いラップフィルム用カートンでは、右利きの人と左利きの人の両者が使用することを考慮した場合などに、吸着シート片Ｍと被吸着シート片Ｓの組合せを中央から左右に離れた２箇所に設けるようにしてもよい。
【００２５】
また、上記の例では、掩蓋片の先端縁をストレートにしたが、本発明のラップフィルム用カートンは、中央が突き出たＶ字状のものであってもよい。
【符号の説明】
【００２６】
１１  前側板
１２  底板
１３  後側板
１４  蓋板
１５  折返し片
１６  掩蓋片
１７  開封片
１８  接着片
１９  側板
２０  折曲げ片
２１  蓋体側板
２２  接着片
α  切取り線
β  切込み
Ｃ  切断刃
Ｍ  吸着シート片
Ｓ  被吸着シート片
【図１】
2016034831.tif 000003
【図２】
2016034831.tif 000004
【図３】
2016034831.tif 000005
【図４】
2016034831.tif 000006
【図５】
2016034831.tif 000007